(57)【特許請求の範囲】
【請求項１】
互いの筺体の上面と底面とを対接させてこれら筺体を上下方向に積み重ねる筺体の積み重ね構造において、
前記筺体の底面の両側部に一対の凹部を設け、
この凹部の前記筺体の側端側を開口させるとともに、この開口と直交する方向の互いに対向する両端部に凹部の底面との間に案内溝を形成する一対の鍔を設け、かつ凹部の底面にねじ穴を設け、
前記筺体の高さと略同じ長さを有し両端に前記案内溝に係入される一対の折曲部が形成されるとともにこの折曲部に挿通孔が形成された保持部材を備え、
この保持部材の各折曲部を上下方向に積み重ねた筺体の案内溝に係入させ、一方の折曲部の挿通孔に挿通させたねじを下方の筺体のねじ穴にねじ込むことにより、保持部材を介して両筺体を固定した
ことを特徴とする筺体の積み重ね構造。
【請求項２】
請求項１記載の筺体の積み重ね構造において、
積み重ねる前記筺体は共に同じ高さを有し、前記凹部を二対設けたことを特徴とする筺体の積み重ね構造。
【発明の詳細な説明】
【０００１】
【発明の属する技術分野】
本発明は、アダプター等の比較的小形の筺体を上下方向に積み重ねる筺体の積み重ね構造に関する。
【０００２】
【従来の技術】
この種の筺体の積み重ね構造としては、筺体の上下面に嵌合用の凸条体と溝とがそれぞれ設けられ、２個の筺体を積み重ねるときに、下方の筺体の上面の凸条体と上方の筺体の下面の溝とを嵌合させることにより固定していた。また、他の筐体の積み重ね構造としては、２個の筺体を挟持するようにして保持する保持部材を備え、この保持部材自体の係合手段によって保持するかまたは保持部材を筺体にねじ止めすることによって固定していた。
【０００３】
【発明が解決しようとする課題】
しかしながら、上述した従来の筺体の積み重ね構造のうち、前者においては、筺体を重ねずに１個で使用する場合には、筺体の上面に嵌合用の凸条体が露呈し、複数の筺体を重ねて使用する場合には、最上位の筺体の上面に凸条体が露呈するため、外観を損なうという問題があった。また、保持部材を用いる後者において、保持部材自体の係合手段で行う場合には、充分な固定強度が得られないという問題があり、ねじ止めで固定する場合には、ねじが露呈するため外観が損なわれるという問題があった。
【０００４】
本発明は上記した従来の問題に鑑みなされたものであり、その目的は筺体を１個で使用する場合および複数個重ねて使用する場合であっても外観を損なうことなく、積み重ねた場合には固定強度を向上させることにある。
【０００５】
【課題を解決するための手段】
この目的を達成するために、請求項１記載の発明は、互いの筺体の上面と底面とを対接させてこれら筺体を上下方向に積み重ねる筺体の積み重ね構造において、前記筺体の底面の両側部に一対の凹部を設け、この凹部の前記筺体の側端側を開口させるとともに、この開口と直交する方向の互いに対向する両端部に凹部の底面との間に案内溝を形成する一対の鍔を設け、かつ凹部の底面にねじ穴を設け、前記筺体の高さと略同じ長さを有し両端に前記案内溝に係入される一対の折曲部が形成されるとともにこの折曲部に挿通孔が形成された保持部材を備え、この保持部材の各折曲部を上下方向に積み重ねた筺体の案内溝に係入させ、一方の折曲部の挿通孔に挿通させたねじを下方の筺体のねじ穴にねじ込むことにより、保持部材を介して両筺体を固定したものである。
したがって、保持部材の折曲部は筐体の上面側から露呈しない。また、保持部材の下方の折曲部は下方の筐体にねじによって固定され、下方の筐体に固定された一対の保持部材によって上方の筐体が固定される。
また、請求項２記載の発明は、請求項１記載の発明において、積み重ねる前記筺体は共に同じ高さを有し、前記凹部を二対設けたものである。
したがって、２個の筐体を積み重ねて固定する場合には、一方の凹部に保持部材の折曲部を係入し、さらに他の１個の筐体を固定する場合には、他方の凹部に保持部材の折曲部を係入する。
【０００６】
【発明の実施の形態】
以下、本発明の一実施の形態を図に基づいて説明する。図１（ａ）は本発明に係る筺体の積み重ね構造の外観を示す斜視図、同図（ｂ）は同図（ａ）におけるI （ｂ）部を底面側から視た拡大図、図２は図１（ａ）におけるII矢視図、図３は図１（ａ）におけるIII 矢視図である。図４は同じく平面図、図５は同じく底面図、図６は図２におけるVI-VI 線断面図であって、同図（ａ）は保持部材を組付ける前の状態を示し、同図（ｂ）は組付けた状態を示す。
【０００７】
図１（ａ）において、符号１Ａ，１Ｂは筺体としてのアダプターであって、それぞれ開口を有するアッパーケース２とロアーケース３とからなり、これらアッパーケース２とロアーケース３の開口端面を対接するようにして両ケース２，３を合体させることによって形成されている。アッパーケース２には２個のモジュラ差込口４，４が設けられ、これらモジュラ差込口４，４の一方には、電話回線が接続され、他方には電話機のラインコードが接続される。すなわち、このアダプター１は、電話機から発信された電話番号のうち、特定の電話番号を識別することにより、自動的に特定の電話回線に接続するものであって、アダプター１Ａ，１Ｂに対して、１台の電話機がそれぞれ接続可能になっている。
【０００８】
ロアーケース３の底面の両側部には、二対の凹部５Ａ，５Ｂ，５Ｃ，５Ｄが設けられ、同図（ｂ）に示すように、この凹部５Ａないし５Ｄには、ロアーケース３の側端側に開口６が設けられ、この開口６と直交する両側部には、一対の鍔７，７が対向するように突設されている。これら鍔７，７の表面は、ロアーケース３の底面の表面と同一面に形成され、これら鍔７，７と凹部５の底面との間には一対の案内溝８，８が、ロアーケース３の側端と直交する方向に延在するように形成され、凹部５の底面にはねじ穴９が設けられている。
【０００９】
１０Ａ，１０Ｂは側面視コ字状に形成された保持部材であって、金属製の薄板によって両端が直角に折曲され一対の折曲部１１ａ，１１ｂが形成され、これら折曲部１１ａ，１１ｂには挿通孔１２，１２がそれぞれ設けられている。この保持部材１０Ａ，１０Ｂの幅ｌは、上述した凹部５Ａないし５Ｄの幅Ｌよりもわずかに小さく形成され、全長ｈは、アダプター１Ａ，１Ｂの高さＨと略同じ長さに形成されている。１３Ａは保持部材１０Ａ，１０Ｂを下方のアダプター１Ｂに固定するねじ、図５において、１５はロアーケース３の底面に突設された載置用突起、１６はロアーケース３の底面に貼着されたゴム足である。
【００１０】
次に、このような構成の筺体の積み重ね構造における筐体の積み重ねの方法を説明する。
２台目の電話機をアダプターに接続させたい場合には、図１（ａ）において、アダプター１Ｂの上にアダプター１Ａを載置する。これらアダプター１Ｂ，１Ａの両側方から一対の保持部材１０Ａ，１０Ｂの折曲部１１ａ，１１ｂを、同図（ｂ）および図６（ａ）に示すように、アダプター１Ａの凹部５Ａとアダプター１Ｂの凹部５Ａおよびアダプター１Ａの凹部５Ｃとアダプター１Ｂの凹部５Ｃのそれぞれの開口６から案内溝８内に係入させる。図６（ｂ）に示すように、案内溝８によって折曲部１１ａ，１１ｂが保持されることにより、左右一対の保持部材１０Ａ，１０Ｂを介して一対のアダプター１Ｂ，１Ａが仮固定される。しかるのち、下方のアダプター１Ｂの凹部５Ａ，５Ｃに係入された折曲部１１ｂ，１１ｂの挿通孔１２，１２にねじ１３Ａ，１３Ａを挿通させ、凹部５Ａ，５Ｃのねじ穴９，９にねじ込むことにより、保持部材１０Ａ，１０Ｂが下方のアダプター１Ｂに固定される。
【００１１】
下方のアダプター１Ｂに固定された左右一対の保持部材１０Ａ，１０Ｂによって上方のアダプター１Ａが挟持されるので、これら両アダプター１Ａ，１Ｂは、一対の保持部材１０Ａ，１０Ｂによって固定される。このように、保持部材１０Ａ，１０Ｂの折曲部１１ａ，１１ｂが係入される凹部５Ａ，５Ｃをアダプター１Ａ，１Ｂの底面に設けたので、図４に示すように、固定された上方のアダプター１Ａの上面には、保持部材１０Ａ，１０Ｂの折曲部１１ａ，１１ａや凹部５Ａ，５Ｃが露呈することがないので、外観を損なうようなことがない。また、ねじ１３Ａによって保持部材１０Ａ，１０Ｂが下方のアダプター１Ｂに固定され、上方のアダプター１Ａが左右一対の保持部材１０Ａ，１０Ｂによって固定されるので、アダプター１Ａ，１Ｂの固定が堅固となる。なお、本実施の形態では、両アダプター１Ａ，１Ｂの固定をより確実にするために、一対の保持部材１０Ａ，１０Ｂを図４および図５に示すように、対角線上に設けたが、左右対向するように設けてもよい。
【００１２】
ここで、３個目のアダプター１Ｃを積み重ねる必要が生じた場合には、図２および図３に二点鎖線で示すように、アダプター１Ｂをアダプター１Ｃ上に載置する。アダプター１Ｂにおいて、保持部材１０Ａ，１０Ｂの折曲部１１ａ，１１ｂが係入されていない凹部５Ｂ，５Ｄと、アダプター１Ｃの凹部５Ｂ，５Ｄ（共に図示せず）とに、二点鎖線で示す一対の保持部材１０Ｃ，１０Ｄの上下の折曲部１１ｃ，１１ｄ（折曲部１１ｃは図示せず）を係入する。ねじ１３Ｂ，１３Ｂをアダプター１Ｃの下方側から保持部材１０Ｃ，１０Ｄの下方の折曲部１１ｄの挿通孔（図示せず）に挿通させ、アダプター１Ｃの凹部５Ｂ，５Ｄのねじ穴に螺合させることにより、保持部材１０Ｃ，１０Ｄがアダプター１Ｃに固定され、同時にアダプター１Ｃが保持部材１０Ｃ，１０Ｄを介してアダプター１Ｂに固定される。このように、アダプター１Ａ，１Ｂ，１Ｃの両側部に二対の凹部５Ａないし５Ｄを設けたことにより、アダプター１Ａ，１Ｂ，１Ｃを３個以上を容易に積み重ねることができ、使い勝手が向上する。
【００１３】
【発明の効果】
以上説明したように、請求項１記載の発明によれば、複数の筺体を重ねて使用する場合の固定強度が向上するばかりか、筺体を１個または複数個で使用する場合に外観を損なうこともない。
【００１４】
また、請求項２記載の発明によれば、３個以上の積み重ねにも対応でき、使い勝手が向上する。
【図面の簡単な説明】
【図１】  同図（ａ）は本発明に係る筺体の積み重ね構造の外観を示す斜視図、同図（ｂ）は同図（ａ）におけるI （ｂ）部を底面側から視た拡大図である。
【図２】  図１（ａ）におけるII矢視図である。
【図３】  図１（ａ）におけるIII 矢視図である。
【図４】  本発明に係る筺体の積み重ね構造の平面図である。
【図５】  本発明に係る筺体の積み重ね構造の底面図である。
【図６】  図２におけるVI-VI 線断面図であって、同図（ａ）は保持部材を組付ける前の状態を示し、同図（ｂ）は組付けた状態を示す。
【符号の説明】
１Ａ，１Ｂ，１Ｃ…アダプター、２…アッパーケース、３…ロアーケース、５Ａ，５Ｂ，５Ｃ，５Ｄ…凹部、６…開口、７…鍔、８…案内溝、９…ねじ穴、１０Ａ，１０Ｂ，１０Ｃ，１０Ｄ…保持部材、１１ａ，１１ｂ，１１ｃ，１１ｄ…折曲部、１２…挿通孔、１３Ａ，１３Ｂ…ねじ。
【図１】
0003760664.tif 000002
【図２】
0003760664.tif 000003
【図３】
0003760664.tif 000004
【図４】
0003760664.tif 000005
【図５】
0003760664.tif 000006
【図６】
0003760664.tif 000007